(57)【特許請求の範囲】
【請求項１】
家具体に対して脱着可能に支持される露出表示面を有する表示板の支持構造において、少なくとも前記家具体には平面視における前記表示板の露出表示面と略同一形状の開口溝が形成され、
前記表示板は前記家具体に設けられた前記開口溝に対して前記露出表示面の周縁が埋没する程度の深さに遊嵌設置されるとともに、前記表示板と前記開口溝の底面とが磁力により引き合うようになっており、かつこの遊嵌設置時において表示板は開口溝に対して傾動が規制されるように位置決めされ、前記表示板に設けられた被誘引部に対して誘引部を有する取り外し手段を作用させ、前記表示板を前記露出表示面方向にのみ誘引して取り外すようになっており、
前記開口溝からの取り外し時において、前記表示板に対して所定方向に偏った誘引力を与えた場合、前記表示板の外側面が前記開口溝の内側面と片当りして摩擦力によって前記表示板の取り外しを困難にするように、前記開口溝の内側面と表示板の外側面とが遊嵌設置されて設けられていることを特徴とする表示板の支持構造。
【請求項２】
前記開口溝の底面に第１マグネットが敷設されるとともに、前記表示板には前記被誘引部としての軟磁性体が設けられており、前記誘引部としての第２マグネットの発する磁力を、第１マグネットの磁力よりも大としたことを特徴とする請求項１に記載の表示板の支持構造。
【発明の詳細な説明】
【技術分野】
【０００１】
本発明は、会議室、観劇会場、観覧席、もしくは机、テーブルなどの識別番号表示などに適用される、家具に対して着脱可能に支持される表示板の支持構造に関する。
【背景技術】
【０００２】
従来、広い会議室や、観劇会場など多数の椅子を配置する必要があり、既に多数の椅子が固定的に設置される会場スペースを利用する場合と、スタッキングされた多数の同じ形状の椅子を並べて配置する場合がある。一般に会議室や観劇会場など椅子にはこれら椅子の座席番号等を識別させるために、個別の番号を表示する必要がある。
【０００３】
既に多数の椅子が固定的に設置される会場スペースを利用する場合においては、既にこれらの椅子には個別の番号が付されているものの、スタッキングされた多数の同じ形状の椅子を収容人数に合わせた数並べて配置する場合においては、椅子に個別の番号が付されている場合、椅子の個別番号を整然と順番に並べることは煩雑な作業となる。そこで、例えば特許文献１〜５には、背凭れあるいは脚体に、座席番号の表示板を別体として設けておき、脚体を並設した後に座席番号の表示板を取り付けることで、番号の順序に狂いが生じないようにした技術が開示されている。
【先行技術文献】
【特許文献】
【０００４】
【特許文献１】実開昭５７−３５３号公報
【特許文献２】実開昭６１−１３８８８号公報
【特許文献３】実公平７−３８９３９号公報
【特許文献４】実用新案登録第２５６９６１３号公報
【特許文献５】実開平７−１１９４７号公報
【特許文献６】実開昭６０−１７２１８５号公報
【特許文献７】実開昭５７−１５５５６２号公報
【発明の概要】
【発明が解決しようとする課題】
【０００５】
しかしながら、近年では、このような表示板が第三者によって故意に取り外され、持ち帰られてしまうという問題がしばしば発生しており、前記特許文献にて開示されている構造では、管理者による表示板の取り付けを容易にしている一方、第三者による故意の取り外しも容易に実行されてしまうのである。すなわち前記したような背凭れ、あるいは脚体に対して座席番号の表示板が着脱自在になっている場合、第三者によって故意に取り外される問題を助長することにもなり、これらの抜本的解決が求められているところである。
【０００６】
前記特許文献６及び７に開示されているように、磁石を介しての支持力を応用することも考えられるが、これらの支持構造においても表示板の交換に配慮して支持部からの取り外しが容易になっており、第三者による取り外しを困難にすることができない。
【０００７】
本発明は、このような問題点に着目してなされたもので、表示板を配置される家具などと別体として、管理者による表示板の設置作業を容易にしつつ、かつ第三者にとっては取り外しが困難な表示板の支持構造を提供することを目的とする。
【課題を解決するための手段】
【０００８】
前記課題を解決するために、本発明の表示板の支持構造は、
家具体に対して脱着可能に支持される露出表示面を有する表示板の支持構造において、少なくとも前記家具体には平面視における前記表示板の露出表示面と略同一形状の開口溝が形成され、
前記表示板は前記家具体に設けられた前記開口溝に対して前記露出表示面の周縁が埋没する程度の深さに遊嵌設置されるとともに、前記表示板と前記開口溝の底面とが磁力により引き合うようになっており、かつこの遊嵌設置時において表示板は開口溝に対して傾動が規制されるように位置決めされ、前記表示板に設けられた被誘引部に対して誘引部を有する取り外し手段を作用させ、前記表示板を前記露出表示面方向にのみ誘引して取り外すようになっており、
前記開口溝からの取り外し時において、前記表示板に対して所定方向に偏った誘引力を与えた場合、前記表示板の外側面が前記開口溝の内側面と片当りして摩擦力によって前記表示板の取り外しを困難にするように、前記開口溝の内側面と表示板の外側面とが遊嵌設置されて設けられていることを特徴としている。
この特徴によれば、少なくとも家具体には平面視における前記表示板の露出表示面と略同一形状の開口溝が形成されているため、露出表示面の周縁と開口溝と間にできる隙間を極めて少なくできるとともに、表示板の遊嵌設置時において表示板は開口溝に対して傾動が規制されるために強制力による隙間形成を阻止でき、第三者による表示板の取り外しはより困難になる。また、管理者にあっては、管理者のみが利用する取り外し手段を使用して、表示板に設けられた被誘引部に対して誘引部を作用させることによって表示板を露出表示面方向に容易に取り外すことができる。
【００１１】
本発明の表示板の支持構造は、
前記開口溝の底面に第１マグネットが敷設されるとともに、前記表示板には前記被誘引部としての軟磁性体が設けられており、前記誘引部としての第２マグネットの発する磁力を、第１マグネットの磁力よりも大としたことを特徴としている。
この特徴によれば、前記表示板には前記被誘引部としての軟磁性体が設けられており、誘引部としての第２マグネットの発する磁力が、第１マグネットの磁力よりも大きい場合、第２マグネットの発する磁力に従い軟磁性体の磁極が反転することになり、第１マグネットと軟磁性体との反発を誘い、表示板の誘引取り外しが容易となる。
【図面の簡単な説明】
【００１２】
【図１】実施例１における表示板の支持構造の全体像を示す斜視図である。
【図２】表示板の支持構造を示す斜視図である。
【図３】表示板の支持構造を示すＡ−Ａ断面図である。
【図４】表示板の傾動が困難であることを説明するＡ−Ａ断面図である。
【図５】表示板の取り外し手段を説明するＡ−Ａ断面図である。
【図６】軟磁性体の磁極の反転を説明する概念図である。
【図７】実施例２における表示板の支持構造の内部を示す斜視図である。
【図８】軟磁性体の磁極の反転を説明する概念図である。
【図９】実施例３における表示板の取り外し手段を示す斜視図である。
【図１０】表示板の取り外し手段を説明する断面図である。
【発明を実施するための形態】
【００１３】
本発明に係る表示板の支持構造を実施するための形態を実施例に基づいて以下に説明する。
【実施例１】
【００１４】
実施例１に係る表示板の支持構造につき、図１から図６を参照して説明する。本発明を実施例によって解り易く説明するために、表示板の固定される家具体は、会議室や、観劇会場などに配置される規格が略統一された椅子を対象として説明する。
【００１５】
図１に示されるように、家具体１である椅子に対して個別の番号などが表示されている露出表示面３を有する表示板２が開口溝４に対して遊嵌設置され、脱着可能に支持されている。表示板２の支持構造を詳しく説明すると、表示板２を上方から見た平面視において、表示板２の露出表示面３と開口溝４とが略同一形状と成っている。すなわち平面視において露出表示面３と開口溝４が略同一形状であるため、露出表示面３の周縁と開口溝４と間にできる隙間が極めて少なくなっている。
【００１６】
この隙間は、第三者（会議室や、観劇会場などを利用する利用者等）がドライバー１１等（図４参照）の先端の尖った工具等を表示板２と開口溝４の間に挿入できない程度の隙間になっている。このことは、管理者による隙間を利用した表示板２の取り外しをも困難にしている。なお、近年、表示板２が第三者によって故意に取り外され、持ち帰られてしまうという問題がしばしば発生しているが、露出表示面３を角部のない曲線とすることにより、第三者が指や爪で表示板２を引っ掛けて取り外そうとしても、その指や爪がすべるようになり、隙間を利用した表示板２の取り外しを防止できる。
【００１７】
また第三者が無理にドライバー１１等（図４参照）の先端の尖った工具等を表示板２と開口溝４の間に挿入し、テコの原理を利用して表示板２を取り出そうとしても、後述するように表示板２の遊嵌設置時において表示板２は開口溝４に対して傾動が規制されるために、取り外しは困難になっている。
【００１８】
図２に示されるように、表示板２の下方部には軟磁性体５が固定されており、さらに開口溝４の底部には第１マグネット９が固定されている。具体的には、図３（ａ）に示されているように、開口溝４に対して垂直に表示板２を挿入することによって、第１マグネット９の磁力により軟磁性体５が引き寄せられ、表示板２が開口溝４の底部において支持され、容易に抜け出されない支持構造となっている。なお、表示板２の支持構造を設ける位置としては、脚体部分や背凭れの側面部など何処でもよい。
【００１９】
さらに図３（ｂ）に示されているように、表示板２は家具体１に設けられた開口溝４に対して露出表示面３の周縁が埋没する程度の深さに遊嵌設置されているため、露出表示面３の周縁と開口溝４と間にできる隙間に対するアクセスが困難となり、第三者による隙間を利用した表示板２の取り外しが一層困難になっている。
【００２０】
このように一旦開口溝４に固定された表示板２は、表示板２の開口溝４からの取り外し時の際に表示板２に対して所定方向に偏った誘引力を与えた場合、例えば図４に示されるようにドライバー等の工具１１を無理に差込み、テコの原理を利用して表示板２を取り出そうとしても、表示板２の傾きによって垂直に下方に延びる開口溝４の側面７と表示板２の側面８端部に位置する角部８１，８２等が当接して傾動が規制される。また角部８１，８２等の開口溝４の側面７への噛付きによって表示板２の開口溝４に対する移動も規制され、取り外しは非常に困難になっている。
【００２１】
このように表示板２と開口溝４の隙間も少なく、傾動も規制されているため、管理者による隙間を利用した表示板２の取り外しをも困難にしている訳であるが、管理者による表示板２の取り外し時には、誘引による所定の取り外し手段が利用される。この取り外し手段は、誘引部としての第２マグネット１０を露出表示面３に近付けることによって行われる。
【００２２】
誘引部としての第２マグネット１０は、表示板２に設けられた被誘引部である軟磁性体５を引き寄せ、表示板２を露出表示面方向にすなわち垂直方向に誘引することにより取り外せるようになっている（図５参照）。このように、第三者による取り外しを困難にしながら、管理者には、管理者のみが利用する取り外し手段１２を使用して、表示板２に設けられた被誘引部に対して誘引部を作用させることによって表示板２を露出表示面方向に容易に取り外すことができることになる。
【００２３】
磁力を利用した表示板２の取り外しについて図６を用いてより詳しく説明する。まず図６（ａ）に示されるように、開口溝４の底面には、永久磁石である第１マグネット９が敷設されるとともに、表示板２には被誘引部としての磁気によって極性の変化する軟磁性体５が設けられている。誘引部としての第２マグネット１０の磁力は、第１マグネット９の磁力よりも大となっている。第１マグネット９は上部にＮ極が、下部にＳ極がくるように配置されている場合、吸着されている軟磁性体５の下部はＳ極に磁化され、上部がＮ極となり吸着されている。
【００２４】
この状態で軟磁性体上部に対して、第２マグネット１０をその上部がＳ極、下部がＮ極の状態で近付けると、第１マグネット９から受ける磁化力よりも、第２マグネット１０から受ける磁化力が大きいため、軟磁性体５には磁極の反転が起き、軟磁性体５上部がＮ極からＳ極に置き換わる（図６（ｂ）参照）。
【００２５】
したがって、前時点で第１マグネット９によって吸着していた軟磁性体５は、第１マグネット９上部の（Ｎ極）と軟磁性体５の下部（Ｎ極）は互いに反発し合うことになる。このように、軟磁性体５の磁極の反転によって、第１マグネット９と反発しあう力が露出表示面３方向に押し上げ、第２マグネット１０と引き合う力が露出表示面３方向に引き寄せるため、表示板２を露出表示面方向にすなわち垂直方向に誘引することにより容易に表示板２を露出表示面３方向に取り外すことが可能になる。
【００２６】
なお、前述したように、軟磁性体５には磁極の反転が起き、軟磁性体５上部がＮ極からＳ極に置き換わる方式に代えて、磁極の反転を伴わない方法でも可能である。すなわち第１マグネット９上部の磁力（Ｎ極）によって吸着されている軟磁性体５下部（Ｓ極）が、軟磁性体５上部（Ｎ極）に第２マグネット１０を近付けられることで、第１マグネット９上部の磁力（Ｎ極）よりも、第２マグネット１０下部（Ｓ極）の磁力が大となっているため、磁極の反転を伴わない軟磁性体５上部（Ｎ極）が第２マグネット１０下部（Ｓ極）に引き寄せられ、表示板２が第２マグネット１０に吸着されるかたちで第１マグネット９から取り外されるようにしてもよい。
【実施例２】
【００２７】
次に、実施例２に係る表示板の支持構造につき、図７、図８を参照して説明する。なお、前記実施例と同一構成で重複する構成を省略する。
【００２８】
図７に示すように、表示板２に軟磁性体５が複数個、例えば軟磁性体５を２つ配置されており、また第１マグネット９も軟磁性体５の配置に対応するように２つ配置され、さらに第２マグネット１０も軟磁性体５の配置に対応するように２つ配置される。
【００２９】
図８（ａ）及び図８（ｂ）には、それぞれマグネットの磁極を変化させた配置状態が示されており、例えば第１マグネット９は、２つの磁石の上方が互いに異なる磁極になるように配置されている。
【００３０】
図８（ａ）にあっては、第１マグネット９の片方である上部がＳ極のマグネットに、第２マグネット１０を片方である下部がＳ極のマグネットを上方から下降させ、第１マグネット９の片方である上部がＮ極のマグネットに、第２マグネット１０を片方である下部がＮ極のマグネットを上方から近接下降させる。この場合、２つの軟磁性体は第１マグネット９それぞれから受ける磁化力よりも、第２マグネット１０それぞれから受ける磁化力が大きいため、軟磁性体５には磁極の反転が起き、軟磁性体５の一方の上部がＳ極からＮ極に置き換わり、軟磁性体５のもう一方の上部がＮ極からＳ極に置き換わる。
【００３１】
したがって、前時点で第１マグネット９のそれぞれによって吸着していた軟磁性体５は、第１マグネット９上部（Ｎ極、Ｓ極）と軟磁性体５の下部（Ｓ極、Ｎ極）は互いに反発し合う。このように、軟磁性体５の磁極の反転によって、第１マグネット９と反発しあう力が露出表示面３方向に垂直の均等な押上げ力を発生させ、第２マグネット１０と引き合う力が露出表示面３方向に引き寄せるため、片当りの無い誘引により容易に表示板２を露出表示面３方向に取り外すことが可能になる。
【００３２】
また、図８（ｂ）にあっては、片当りによりスムーズに表示板２を露出表示面３方向に取り外せない例が示されており、第２マグネット１０を両方の下部がＮ極になっている場合である。この場合、軟磁性体５と第１マグネット９との間に引合力と反発力が同時に発生し、第１マグネット９と反発しあう力が露出表示面３方向に垂直の均等な押上げ力とならないため、片当りによりスムーズに表示板２を露出表示面３方向に取り外せないこととなる。これは取り外し手段１２と第１マグネット９内の磁性の配置を選定することによって管理者のみによる表示板２の取り外しを可能にできる。
【００３３】
また、この実施例においては、軟磁性体５、第１マグネット９、第２マグネット１０それぞれを２つづつ配置しているが、これは配置個数を２つに限定されるものではなく、複数個づつ配置することができるのは言うまでもない。
【実施例３】
【００３４】
次に、実施例３に係る表示板の支持構造につき、図９から図１０を参照して説明する。なお、前記実施例に示される構成部分と同一構成部分に付いては同一符号を付して重複する説明を省略する。
【００３５】
図９に示すように、誘引部材としての略Ｔ字状の棒状体２３は、棒状体２３の長手方向における底部に誘引突起部２４を対角線上に２つ有しており、表示板２には、上面視において誘引部材である略Ｔ字状の棒状体２３と略同一形状の孔部２５が露出表示面方向上面に形成され、孔部２５底部には誘引突起部２４が回動可能な回転誘導溝部２６が設けてある。
【００３６】
具体的に取り外しの様子を図１０で説明すると、棒状体２３を孔部２５の底部まで挿入し（図１０（ａ）参照）、誘引突起部２４が底部に設けられた回転誘導溝部２６に到達したのち（図１０（ｂ）参照）、棒状体２３を回転し例えば９０度回動すると、誘引突起部２４が回転誘導溝部２６の天板２７に係止される（図１０（ｃ）参照）。この状態で棒状体２３を露出表示面方向に垂直に引き上げると、棒状体２３とともに表示板２が垂直に引き出され、取り外すことができる（図１０（ｄ）参照）。
【符号の説明】
【００３７】
１                家具体
２                表示板
３                露出表示面
４                開口溝
５                軟磁性体
９                第１マグネット
１０              第２マグネット
２３              棒状体
２５              孔部
２６              回転誘導溝部
８１，８２        角部
【図１】
0005820603.tif 000002
【図２】
0005820603.tif 000003
【図３】
0005820603.tif 000004
【図４】
0005820603.tif 000005
【図５】
0005820603.tif 000006
【図６】
0005820603.tif 000007
【図７】
0005820603.tif 000008
【図８】
0005820603.tif 000009
【図９】
0005820603.tif 000010
【図１０】
0005820603.tif 000011